(57)【特許請求の範囲】
【請求項１】
枠体と、この枠体に支持される面材と、この面材の吊り元側を前記枠体に対して回動自在に支持する支持手段とを備えた建具であって、
前記支持手段は、
前記枠体および面材のいずれか一方に設けられる支持本体と、
前記支持本体に対して所定の回動軸を中心に回動可能に支持される回動支持体とを備え、
前記回動支持体には、前記枠体および面材のいずれか他方に設けられた係合部に係合可能かつ当該係合部に対する前記回動軸の位置を複数段階に調節可能な係合位置調節手段が設けられ、
前記係合部は、前記枠体および面材のいずれか他方に沿って設けられた突片の一部によって形成され、
前記係合位置調節手段は、
前記回動支持体の前記回動軸を中心にした周方向の複数箇所に当該回動軸の中心から径方向外側に凹んでそれぞれ形成され、かつ当該回動軸からの径方向距離が互いに異なる複数の凹壁部と、
前記複数の凹壁部と対向して回動軸を挟んだ反対側にそれぞれ配置され、前記回動支持体の前記回動軸を中心にした周方向の複数箇所に径方向に延びて形成されて前記突片にそれぞれ係止される複数の凹溝部とを有して構成され、
前記回動支持体は、前記複数の凹壁部に対して前記回動軸と反対側に位置する複数の背面壁を有し、前記複数の凹壁部から当該複数の凹壁部に対応する複数の背面壁までの背面距離は、それぞれ互いに略同一に設定されている建具。
【請求項２】
前記突片は、前記枠体に沿って設けられ、前記支持手段は、前記面材の吊り元側に設けられるとともに、前記回動支持体が前記突片の一部に係合可能に構成されている請求項１に記載の建具。
【請求項３】
前記枠体は、上枠および下枠を有して構成され、当該上枠および下枠のうちの少なくとも上枠における長手方向端部近傍に前記係合部が形成されている請求項１または請求項２のいずれかに記載の建具。
【請求項４】
前記上枠には、下方に突出した突片である上レールが形成され、当該上レールの長手方向端部近傍を切り欠いた切欠部によって前記係合部が形成され、
前記面材は、
連結された一対の障子を有して構成され、これら一対の障子のうち、一方の障子の吊り元側に前記支持手段が設けられ、他方の障子の戸先側が前記上レールに案内されることで開閉可能に設けられた折れ戸であるか、
または、
１枚の障子の吊り元側に前記支持手段が設けられ、当該障子の戸先側が前記上レールまたは縦枠に係止されて閉鎖可能かつ係止が解除されることで開放可能に設けられた開き戸である請求項３に記載の建具。
【発明の詳細な説明】
【技術分野】
【０００１】
本発明は、建具に関し、詳しくは、枠体に開閉自在に支持される面材を備えた建具に関する。
【背景技術】
【０００２】
従来、枠体に扉や障子などの面材が開閉自在に支持されたドアや開き窓、折れ戸等の建具において、面材の吊元側を枠体の上下枠や縦枠に支持する支持構造としては、丁番やピボットヒンジが一般的に利用されている。また、特に浴室出入り口等に利用される折れ戸において、折りたたみ可能に連結された一対の障子のうち、一方の障子の吊り元側縦框上端を枠体に回動自在に支持する上戸車と、他方の障子の戸先側縦框上端を枠体に回動自在かつスライド自在に支持する上戸車とを有した支持構造が提案されている（例えば、特許文献１参照）。
【０００３】
特許文献１に記載された上戸車は、縦框上端に取り付けられるケースと、このケースに回動自在に挿入されるガイドホルダと、ガイドホルダに取り付けられるガイド片とを有して構成されており、戸先側のガイド片には、上レールを挿通させてスライド自在に案内されるガイド溝が形成され、吊り元側のガイド片には、上レールを挿通させるガイド溝と、このガイド溝の端部に設けられて上レールに係止される係止壁部とが形成されている。そして、吊り元側の上戸車は、係止壁部を上レールに当接させることで、上枠に対してスライド不能に係止されるとともに、ケースに対してガイドホルダおよびガイド片が相対回転することで、他方の障子を回動自在に支持できるように構成されている。
【先行技術文献】
【特許文献】
【０００４】
【特許文献１】特開２００７−１２０１０１号公報
【発明の概要】
【発明が解決しようとする課題】
【０００５】
ところで、特許文献１に記載された上戸車を用いた従来の支持構造では、上戸車がガイドホルダとガイド片とを有して構成され、吊り元側のガイド片には、上レールを案内するガイド溝と、このガイド溝の端部に設けられて上レールに係止される係止壁部とが形成され、この係止壁部を上レールに当接させることで、吊り元側の上戸車がスライド不能に上枠に係止される構成となっている。しかしながら、従来の支持構造では、ガイド片において１つのガイド溝および係止壁部しか形成されていないため、上枠に対する見込み方向および上枠の長手方向に沿った左右方向のいずれの方向にも上戸車の位置調節ができず、障子の建て込み調整を行うためには、上枠の上レールに加工を施す必要があるなど、多大な調整手間を要することから建て込み作業の作業性が低下してしまうことがある。
【０００６】
本発明の目的は、枠体に対する面材の建て込み位置調整が容易にできて建て込みの作業効率を向上させることができる建具を提供することにある。
【課題を解決するための手段】
【０００７】
本発明の建具は、枠体と、この枠体に支持される面材と、この面材の吊り元側を前記枠体に対して回動自在に支持する支持手段とを備えた建具であって、前記支持手段は、前記枠体および面材のいずれか一方に設けられる支持本体と、前記支持本体に対して所定の回動軸を中心に回動可能に支持される回動支持体とを備え、前記回動支持体には、前記枠体および面材のいずれか他方に設けられた係合部に係合可能かつ当該係合部に対する前記回動軸の位置を複数段階に調節可能な係合位置調節手段が設けられ、前記係合部は、前記枠体および面材のいずれか他方に沿って設けられた突片の一部によって形成され、前記係合位置調節手段は、前記回動支持体の前記回動軸を中心にした周方向の複数箇所に当該回動軸の中心から径方向外側に凹んでそれぞれ形成され、かつ当該回動軸からの径方向距離が互いに異なる複数の凹壁部と、前記複数の凹壁部と対向して回動軸を挟んだ反対側にそれぞれ配置され、前記回動支持体の前記回動軸を中心にした周方向の複数箇所に径方向に延びて形成されて前記突片にそれぞれ係止される複数の凹溝部とを有して構成され、前記回動支持体は、前記複数の凹壁部に対して前記回動軸と反対側に位置する複数の背面壁を有し、前記複数の凹壁部から当該複数の凹壁部に対応する複数の背面壁までの背面距離は、それぞれ互いに略同一に設定されていることを特徴とする。
【０００８】
以上の本発明によれば、支持手段に係合位置調節手段が設けられているので、係合位置調節手段によって回動軸の位置を複数段階に調節することにより、面材の見付け方向位置調節が容易にでき、建て込み時の作業効率を向上させることができる。
【０００９】
このような本発明によれば、回動軸を中心にした周方向の複数箇所に形成した凹壁部を有して係合位置調節手段を構成することで、回動支持体を支持本体に対して回転させ、複数の凹壁部から適宜なものを選択するだけで位置調節可能となることから、面材の見付け方向位置調節がさらに容易になって作業効率を一層向上させることができる。
また、係合位置調節手段が回動軸を中心にした周方向の複数箇所の凹溝部を有して構成され、複数の凹溝部から適宜に選択した凹溝部を突片に係止させることで、回動支持体と枠体との位置決めが確実にでき、支持手段による面材の開閉支持強度を高め、さらに面材を閉じた際の気密性向上を図ることができる。
【００１０】
さらに、本発明の建具では、前記突片は、前記枠体に沿って設けられ、前記支持手段は、前記面材の吊り元側に設けられるとともに、前記回動支持体が前記突片の一部に係合可能に構成されていることが好ましい。
このような構成によれば、枠体の突片によって係合部を構成し、面材の吊り元側に設けた支持手段の回動支持体を突片の一部に係合させることで、面材の建て込み時に回動支持体の係合位置調節手段を容易に操作することができ、建て込み作業が効率化できる。
【００１２】
また、本発明の建具では、前記枠体は、上枠および下枠を有して構成され、当該上枠および下枠のうちの少なくとも上枠における長手方向端部近傍に前記係合部が形成されていることが好ましい。
このような構成によれば、少なくとも上枠における長手方向端部近傍に係合部を形成しておけば、この枠体に対して建て込む側の面材に支持手段が設けられ、その係合位置調節手段を調節しつつ建て込むだけでよいので、枠体の側での調節作業や、建て込み現場における枠体への新たな加工などが不要にでき、面材の見付け位置調節を容易に実施することができる。
【００１３】
さらに、本発明の建具は、前記上枠には、下方に突出した突片である上レールが形成され、当該上レールの長手方向端部近傍を切り欠いた切欠部によって前記係合部が形成され、前記面材は、連結された一対の障子を有して構成され、これら一対の障子のうち、一方の障子の吊り元側に前記支持手段が設けられ、他方の障子の戸先側が前記上レールに案内されることで開閉可能に設けられた折れ戸であるか、または、１枚の障子の吊り元側に前記支持手段が設けられ、当該障子の戸先側が前記上レールまたは縦枠に係止されて閉鎖可能かつ係止が解除されることで開放可能に設けられた開き戸であることが好ましい。
このような構成によれば、建て込み作業が容易に実施できる折れ戸または開き戸を比較的簡単な構造で構成することができる。さらに、折れ戸および開き戸において共通の枠体が利用できるとともに、共通の支持手段を利用することもでき、部品の共通化を図って製品コストを低減させることができる。
【図面の簡単な説明】
【００１４】
【図１】本発明の第１実施形態に係る建具を示す縦断面図である。
【図２】前記建具の横断面図であり面材としての障子の上面を示す図である。
【図３】前記障子の吊り元側に設けられる支持手段を示す斜視図である。
【図４】前記支持手段を示す平面図である。
【図５】前記支持手段と上枠との係合状態を示す縦断面図である。
【図６】前記支持手段と上枠との係合状態を示す横断面図である。
【図７】前記支持手段の動作を説明する横断面図である。
【図８】本発明の第２実施形態に係る建具を示す縦断面図である。
【図９】前記建具を示す横断面図である。
【図１０】本発明の変形例に係る支持手段の動作を示す平面図である。
【発明を実施するための形態】
【００１５】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００１６】
〔第１実施形態〕
図１および図２において、本実施形態の建具としての開き戸１は、脱衣室と浴室とを仕切って浴室側に開放可能な出入り口であって、枠体としての建具枠２と、この建具枠２に開閉自在に支持される面材としての１枚の障子３とを備えて構成されている。建具枠２は、それぞれアルミ形材製の上枠４、下枠５および左右の縦枠６を四周枠組みして構成され、上枠４や縦枠６が脱衣室側の額縁材Ｇに固定されるとともに浴室壁や天井に接続され、下枠５が脱衣室側の床材Ｆに固定されるとともに浴室床である防水パンＰに接続されている。障子３は、それぞれアルミ形材製の上框７、下框８および左右の縦框９を框組みした内部に樹脂パネル１０を嵌め込んで構成されており、吊り元側（図２中、左側）の縦框９の上下には、当該障子３を建具枠２に回動自在に支持する支持手段としての支持装置２０が設けられている。一方、戸先側（図２中、右側）の縦框９には、ハンドル１１が設けられるとともに、この縦框９の上下にラッチ装置１２が設けられ、ラッチ装置１２が上枠４の上レール４Ａおよび下枠５の下レール５Ａに各々係止されることで障子３が閉鎖され、ラッチ装置１２の係止が解除されることで障子３が開放されるようになっている。
【００１７】
支持装置２０は、図３〜図５にも示すように、吊り元側の縦框９に圧入されて取り付けられる支持本体としてのケース体２１と、このケース体２１に回動可能に支持される回動支持体２２とを備えて構成されている。この支持装置２０は、回動支持体２２が上枠４の上レール４Ａに係合されるとともに、ケース体２１に対して回動軸Ｏを中心に回転することで、障子３を開閉可能に支持するように構成されている。この回動支持体２２は、図５に示すように、ケース体２１に挿入されて軸支される軸部２３と、この軸部２３の上端に設けられる鍔部２４と、鍔部２４よりも上方でケース体２１の挿通孔２１Ａに回動支持される胴部２５と、この胴部２５の上部に設けられる係合位置調節手段としての調節部２６とを有して形成されている。また、軸部２３の先端がケース体２１の底面２１Ｂを貫通して係止されるとともに、軸部２３を挿通させたコイルばね２７が底面２１Ｂに当接して鍔部２４を上方に付勢することで、回動支持体２２は、ケース体２１に対して突没自在かつ突出方向に付勢された状態で支持されている。
【００１８】
調節部２６は、胴部２５の上面２５Ａから突出した複数のブロックで構成され、このうち３つのブロックには、回動軸Ｏ側の中心から径方向外側に凹んで形成された凹壁部２８が形成され、各凹壁部２８と対向して回動軸Ｏを挟んだ反対側には、径方向に延びる３本の凹溝部２９が形成されている。すなわち、凹壁部２８および凹溝部２９は、それぞれ回動軸Ｏを中心にした周方向の３箇所に形成され、凹壁部２８Ａと凹溝部２９Ａとが一組とされ、凹壁部２８Ｂと凹溝部２９Ｂとが一組とされ、凹壁部２８Ｃと凹溝部２９Ｃとが一組とされて、計３組で構成されている。これら３つの凹壁部２８における回動軸Ｏと対向する壁面までの回動軸Ｏからの径方向距離である離隔距離Ｌ１，Ｌ２，Ｌ３は、凹壁部２８Ａの離隔距離Ｌ１が３箇所のうち最大で例えば６．７mmに設定され、凹壁部２８Ｂの離隔距離Ｌ２が３箇所のうち中間（標準）で例えば５．２mmに設定され、凹壁部２８Ｃの離隔距離Ｌ３が３箇所のうち最小で例えば３．７mmに設定されている。また、凹壁部２８における回動軸Ｏと反対側の背面壁３０Ａ，３０Ｂ，３０Ｃまでの背面距離Ｌ４は、３箇所の凹壁部２８Ａ，２８Ｂ，２８Ｃで略同一に設定されている。
【００１９】
以上の調節部２６は、図５および図６に示すように、上枠４の突片である上レール４Ａの長手方向端部に形成した係合部としての切欠部４Ｂに係合される。具体的には、例えば、被係合部としての凹壁部２８のうちの凹壁部２８Ｂが切欠部４Ｂに係合されるとともに、被係止部としての凹溝部２９のうちの凹溝部２９Ｂが上レール４Ａに係止されることで、調節部２６が上レール４Ａおよび切欠部４Ｂに係合され、この状態において凹壁部２８Ｂに対応した背面壁３０Ｂが縦枠６の見込み面６Ａに当接または近接するようになっている。このように調節部２６が係合されることで、回動支持体２２が上枠４に対して回動不能かつ左右および見込み方向に移動不能に取り付けられ、この回動支持体２２に対してケース体２１および吊り元側の縦框９が回動して障子３が開閉可能に構成される。
【００２０】
また、図７(Ａ)に示すように、ケース体２１に対して回動支持体２２を回転させ、凹壁部２８Ａを切欠部４Ｂに係合させるとともに凹溝部２９Ａを上レール４Ａに係止させることで、図６に示した標準の場合と比較して、回動軸Ｏが見付け方向内側（図中、右側）に移動した位置において、調節部２６が上レール４Ａおよび切欠部４Ｂに係合されるようになっている。さらに、図７(Ｂ)に示すように、ケース体２１に対して回動支持体２２を回転させ、凹壁部２８Ｃを切欠部４Ｂに係合させるとともに凹溝部２９Ｃを上レール４Ａに係止させることで、図６に示した標準の場合と比較して、回動軸Ｏが見付け方向外側（図中、左側）に移動した位置において、調節部２６が上レール４Ａおよび切欠部４Ｂに係合されるようになっている。なお、図６および図７において、いずれの凹壁部２８を切欠部４Ｂに係合させた場合であっても、各凹壁部２８Ａ，２８Ｂ，２８Ｃから背面壁３０Ａ，３０Ｂ，３０Ｃまでの背面距離Ｌ４が略同一であるため、背面壁３０Ａ，３０Ｂ，３０Ｃと縦枠６の見込み面６Ａとの位置関係が共通化できるようになっている。
【００２１】
以上のような調節部２６によれば、切欠部４Ｂに係合させる凹壁部２８Ａ，２８Ｂ，２８Ｃおよび上レール４Ａに係止させる凹溝部２９Ａ，２９Ｂ，２９Ｃの組み合わせを適宜に選択することで、回動軸Ｏの見付け方向位置を３段階に調節できるようになっている。このように吊り元側の縦框９上部において回動軸Ｏの見付け方向位置を調節することによって、縦枠６の見込み面６Ａから縦框９までの間隔が標準の間隔Ｓ２と、標準よりも離れた間隔Ｓ１と、標準よりも接近した間隔Ｓ３との３段階に調節できる。従って、標準の間隔Ｓ２で障子３を建て込んだ際に、障子３の戸先側が高くなって下枠５との隙間が広くなるような建て込み状態となった場合には、図７(Ａ)に示すように、縦枠６の見込み面６Ａと縦框９との間隔Ｓ１が大きくなるように、凹壁部２８Ａおよび凹溝部２９Ａを選択することで、障子３の戸先側を下げて下枠５との隙間が適正になるように建て込み調整することができる。一方、標準の間隔Ｓ２で障子３を建て込んだ際に、障子３の戸先側が垂れ下がって下枠５との隙間が狭くなるような建て込み状態となった場合には、図７(Ｂ)に示すように、縦枠６の見込み面６Ａと縦框９との間隔Ｓ３が小さくなるように、凹壁部２８Ｃおよび凹溝部２９Ｃを選択することで、障子３の戸先側を上げて下枠５との隙間が適正になるように建て込み調整することができる。
【００２２】
建て込み調整の手順としては、障子３を建具枠２に建て込んだ状態で障子３の傾きを確認し、戸先側が上がっているかまたは垂れ下がっていた場合には、吊り元側の縦框９上部にドライバー等の工具や指を差し込み、支持装置２０の回動支持体２２をケース体２１に没入させ、調節部２６と上枠４との係合を一旦解除する。この状態で障子３を建具枠２から取り外すことなく、ケース体２１に没入させた回動支持体２２を回転させ、切欠部４Ｂに係合させる凹壁部２８Ａ，２８Ｂ，２８Ｃおよび上レール４Ａに係止させる凹溝部２９Ａ，２９Ｂ，２９Ｃの組み合わせを変更する。そして、工具を抜いて回動支持体２２を上昇させ、変更した凹壁部２８および凹溝部２９を切欠部４Ｂおよび上レール４Ａに係合させ、再度障子３の傾きを確認する。このように、本実施形態の開き戸１においては、建具枠２から障子３を取り外さなくても、障子３の建て込み調整を容易に実施できることから、建て込みの作業効率を飛躍的に向上させることができる。
【００２３】
〔第２実施形態〕
図８および図９において、本実施形態の建具としての折れ戸１Ａは、前記第１実施形態と略同様の枠体としての建具枠２と、この建具枠２に開閉自在に支持される面材としての互いに連結された一対の障子３Ａ，３Ｂとを備えて構成されている。一対の障子３Ａ，３Ｂは、互いの隣り合う縦框９同士が連結框１３を介して中折れ形式に連結され、図９中、左側の障子３Ａにおける吊り元側（縦枠６側）の縦框９は、支持装置２０によって建具枠２に回動自在に支持され、図９中、右側の障子３Ｂにおける戸先側（縦枠６側）の縦框９は、戸車１４によって上枠４および下枠５にスライド自在かつ回動自在に支持されている。上部の戸車１４は、上レール４Ａに案内される案内溝１４Ａを有して構成され、下部の戸車１４は、下レール５Ａに案内される案内溝（不図示）を有して構成されている。このような折れ戸１Ａは、障子３Ｂの浴室側および脱衣室側のそれぞれに設けたハンドル１５，１６の操作によって、連結框１３部分が浴室側に移動するように障子３Ａ，３Ｂが折れて回動し、障子３Ｂが障子３Ａ側に接近する方向にスライドして開放されるようになっている。
【００２４】
以上のような折れ戸１Ａにおいても、支持装置２０の調節部２６により障子３Ａにおける吊り元側の縦框９の回動軸の見付け位置を調節することによって、障子３Ａ，３Ｂの建て込み調整を容易に実施することができ、建て込みの作業効率を向上させることができる。また、第１実施形態の開き戸１と第２実施形態の折れ戸１Ａとにおいて、略同様の建具枠２を用いるとともに共通の支持装置２０を用いることができるので、部品の共通化を図って製品コストを低減させることができる。
【００２５】
なお、本発明は、前記実施形態に限定されるものではなく、本発明の目的を達成できる他の構成等を含み、以下に示すような変形等も本発明に含まれる。
例えば、前記実施形態において、浴室出入り口用建具としての開き戸１や折れ戸１Ａを例示したが、これに限らず、本発明の建具は、ドアや開き窓、可動パーティションなどの各種建具であってもよい。
また、前記実施形態では、支持装置２０を障子３，３Ａ側に設け、上枠４の上レール４Ａに係合部としての切欠部４Ｂを形成したが、これに限らず、支持装置２０を建具枠２の側に設け、係合部を障子３，３Ａ（面材）側に設けてもよい。
さらに、前記実施形態では、吊り元側の縦框９の上部における回動軸Ｏの位置調節についてのみ説明したが、縦框９の下部において同様に回動軸Ｏの位置調節を実施してもよい。
【００２６】
さらに、本発明における係合位置調節手段としては、回動軸Ｏの見付け方向位置のみを調節するものに限らず、図１０に示すように、回動軸Ｏの見込み方向位置も調節可能に構成された調節部２６Ａで構成されてもよい。
調節部２６Ａは、前記実施形態と略同様の凹壁部２８と凹溝部２９とを有して形成されるものの、凹壁部２８Ａおよび凹溝部２９Ａと凹壁部２８Ｃおよび凹溝部２９Ｃとの幅方向位置が回動軸Ｏと偏心して設けられている。一方、凹壁部２８Ｂおよび凹溝部２９Ｂの幅方向位置は、回動軸Ｏと偏心せず、凹壁部２８Ｂおよび凹溝部２９Ｂの幅方向中心線が回動軸Ｏと交差するように設けられている。凹壁部２８Ｃおよび凹溝部２９Ｃの幅方向中心線は、回動軸Ｏから図１０の上側に偏心距離Ｌ５（例えば１mm）だけ離れて設けられ、従って、凹壁部２８Ｃおよび凹溝部２９Ｃを上レール４Ａに係合させた場合には、回動軸Ｏつまり支持装置２０および吊り元側の縦框９が上枠４に対して、図１０の下側（見込み方向一方側）に偏心距離Ｌ５だけ位置調節されるようになっている。また、凹壁部２８Ａおよび凹溝部２９Ａの幅方向中心線は、回動軸Ｏから図１０の下側に偏心距離Ｌ６（例えば１mm）だけ離れて設けられ、従って、凹壁部２８Ａおよび凹溝部２９Ａを上レール４Ａに係合させた場合には、吊り元側の縦框９が上枠４に対して、図１０の上側（見込み方向他方側）に偏心距離Ｌ６だけ位置調節されるようになっている。
【００２７】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２８】
１…開き戸（建具）、１Ａ…折れ戸（建具）、２…建具枠（枠体）、３，３Ａ，３Ｂ…障子（面材）、４…上枠、４Ａ…上レール（突片）、４Ｂ…切欠部（係合部）、５…下枠、５Ａ…下レール（突片）、２０…支持装置（支持手段）、２１…ケース体（支持本体）、２２…回動支持体、２６，２６Ａ…調節部（係合位置調節手段）、２８…凹壁部（被係合部）、２９…凹溝部（被係止部）、Ｏ…回動軸。
【図１】
0005485837.tif 000002
【図２】
0005485837.tif 000003
【図３】
0005485837.tif 000004
【図４】
0005485837.tif 000005
【図５】
0005485837.tif 000006
【図６】
0005485837.tif 000007
【図７】
0005485837.tif 000008
【図８】
0005485837.tif 000009
【図９】
0005485837.tif 000010
【図１０】
0005485837.tif 000011